(57)【要約】      （修正有）【課題】テレビの外枠フレームの製作に材料ロスが減少され、組立作業効率がよく加工コストが低減される連続一体型フレームを提供する。【解決手段】一本の板材フレーム体５における上下のコーナー部Ａ等に相当する部位に、外側部は残余部６として少し残され内側方きに開口して切欠された切欠部７が複数形成する。さらに、当該板材フレーム体５が前記切欠部７の位置で内側に折り曲げられ隣接するフレーム部１、４等同士の内角が９０度とし、横フレーム部１等と縦フレーム部４のコーナー部が連続して一体型に形成されて成る。【選択図】図１
0003161675.tif 000002
【実用新案登録請求の範囲】
【請求項１】
テレビの外枠を形成する上配置又は上下配置の横フレーム部と左右配置の縦フレーム部が、一本の板材フレーム体で連続されて成る矩形の外枠フレームであって、
前記一本の板材フレーム体における上部のコーナー部又は上下のコーナー部に相当する部位に、外側部は残余部として少し残され内側方きに開口して切欠された切欠部が複数形成されており、当該板材フレーム体が前記切欠部の位置で内側に折り曲げられ隣接するフレーム部同士の内角が９０度とされて、横フレーム部と縦フレーム部のコーナー部が連続して一体型に形成されて成ることを特徴とするテレビの連続一体型フレーム。
【請求項２】
テレビの外枠を形成する上下配置の横フレーム部と左右配置の縦フレーム部が、一本の板材フレーム体で連続されて成る矩形の外枠フレームであって、
前記一本の板材フレーム体におけるコーナー部に相当する部位に、外側部は残余部として少し残され内側方きに開口して切欠された切欠部が形成されており、当該板材フレーム体が前記切欠部の位置で内側に折り曲げられ隣接するフレーム部同士の内角が９０度とされて、当該板材フレーム体の端部同士が接合されて成ることを特徴とするテレビの連続一体型フレーム。
【請求項３】
テレビの外枠を形成する上下配置の横フレーム部と左右配置の縦フレーム部が、一本の板材フレーム体で連続されて成る矩形の外枠フレームであって、
前記一本の板材フレーム体における３箇所のコーナー部に相当する各部位に、外側部は残余部として少し残され内側方きに開口して切欠された切欠部が３箇所形成されており、当該板材フレーム体が前記３箇所の各切欠部の位置で内側に折り曲げられ隣接するフレーム部同士の内角が９０度とされて、当該板材フレーム体の端部同士が残る１箇所のコーナー部で接合されて成ることを特徴とするテレビの連続一体型フレーム。
【請求項４】
板材フレーム体の内側向きに切欠された切欠部が、残余部を残して四角状又は三角状又は湾曲状に形成されていることを特徴とする請求項１〜３のいずれか１項に記載したテレビの連続一体型フレーム。
【請求項５】
板材フレーム体の三角状切欠部が隣接して複数形成され、当該板材フレーム体が前記複数の三角状切欠部の位置で内側に折り曲げられることにより、外枠フレームのコーナー部の外形が多角形に形成されていることを特徴とする請求項１〜４のいずれか１項に記載したテレビの連続一体型フレーム。
【請求項６】
板材フレーム体が、アングル状に形成されていることを特徴とする請求項１〜５のいずれか１項に記載したテレビの連続一体型フレーム。
【請求項７】
板材フレーム体が、平板状に形成されていることを特徴とする請求項１〜６のいずれか１項に記載したテレビの連続一体型フレーム。
【請求項８】
板材フレーム体が、金属製で形成されていることを特徴とする請求項１〜７のいずれか１項に記載したテレビの連続一体型フレーム。
【請求項９】
板材フレーム体の背面に、シール材が設けられていることを特徴とする請求項１〜８のいずれか１項に記載したテレビの連続一体型フレーム。
【請求項１０】
別設された下配置の横フレーム部が、板材フレーム体における左右の縦フレーム部の下端部に亘って設置されて成ることを特徴とする請求項１〜９のいずれか１項に記載したテレビの連続一体型フレーム。
【考案の詳細な説明】
【技術分野】
【０００１】
本考案は、テレビの連続一体型フレームに関し、さらに言えば、テレビ前面の外周に備え付けられる外枠フレームが、効率よく一体的に形成されて成る連続一体型フレームの技術分野に関する。
【背景技術】
【０００２】
近年、いわゆる薄型テレビの開発が進んでいる。この薄型テレビの外周に備え付けられる外枠（フレーム）は、鋼板のプレス打抜き加工により製作されることが多い。
【０００３】
或いは、当該外枠をなす金属製で上下配置の横フレーム部材と左右配置の縦フレーム部材を、各々隣り合うもの同士を溶接により接合して成るフレームも公知に属する。
【０００４】
例えば特開２００４−１７９２０７公開特許公報（請求項２）には、ディスプレイ等を表示する開口部を有し、前記開口部を取囲むように２以上の分割フレームの組合せからなるフレーム枠の製造方法であって、所定形状の被プレス対象部材に曲げ加工を施すことにより、前記分割フレームをそれぞれ成形する曲げ加工工程と、前記曲げ加工工程の後に、それぞれの前記分割フレームを溶接により継合わせることにより前記フレーム枠を完成させるフレーム枠完成工程と、を備えるフレーム枠の製造方法が開示されている。
【先行技術文献】
【特許文献】
【０００５】
【特許文献１】特開２００４−１７９２０７公開特許公報
【考案の概要】
【考案が解決しようとする課題】
【０００６】
前記従来の鋼板のプレス打抜き加工により薄型テレビのフレームを製作する方法は、フレーム、特にはコーナーの角隅部の表面が平滑に形成される点はよいが、当該鋼板の打抜かれた大半の中央部分は廃棄され、資源が有効に活用されず、製作コスト高を招来するという問題がある。
【０００７】
この点、前記文献１のようなフレーム枠の製造方法は、プレス打抜き加工による不要な鋼板の廃棄が生ぜず、製作コストが低減されて環境にやさしい。しかし、分割フレームは別部材であって、隣り合う各分割フレーム同士をいちいち溶接により継合わせる必要があって煩わしく施工効率が悪い。接合加工した完成品も溶接部分の継目がコーナー部になく外観的に一体感がないといった問題点がある。
【０００８】
したがって、本考案が解決しようとする課題は、テレビの外枠フレームの製作に材料ロスが減少されることは勿論、一本の板材フレーム体の折り曲げ加工だけで外枠フレームが形成されて組立作業効率がよく加工コストが低減される上、コーナー部の外形デザインも奇抜で一体感のあるテレビの連続一体型フレームを提供することにある。
【課題を解決するための手段】
【０００９】
上記課題を解決するための手段として、請求項１記載の考案のテレビの連続一体型フレームは、テレビの外枠を形成する上配置又は上下配置の横フレーム部１、２と左右配置の縦フレーム部３、４が、一本の板材フレーム体５で連続されて成る矩形の外枠フレームＳであって、
前記一本の板材フレーム体５における上部のコーナー部Ａ、Ｂ又は上下のコーナー部Ａ、Ｂ、Ｃ、Ｄに相当する部位に、外側部は残余部６として少し残され内側方きに開口して切欠された切欠部７が複数形成されており、当該板材フレーム体５が前記切欠部７の位置で内側に折り曲げられ隣接するフレーム部１、４等同士の内角が９０度とされて、横フレーム部１、２と縦フレーム部３、４のコーナー部Ａ、Ｂ、Ｃ、Ｄが連続して一体型に形成されて成ることを特徴とする。
【００１０】
請求項２記載の考案のテレビの連続一体型フレームは、テレビの外枠を形成する上下配置の横フレーム部１、２と左右配置の縦フレーム部３、４が、一本の板材フレーム体５で連続されて成る矩形の外枠フレームＳであって、
前記一本の板材フレーム体５におけるコーナー部Ａ、Ｂ、Ｃ、Ｄに相当する部位に、外側部は残余部６として少し残され内側方きに開口して切欠された切欠部７が形成されており、当該板材フレーム体５が前記切欠部７の位置で内側に折り曲げられ隣接するフレーム部１、４等同士の内角が９０度とされて、当該板材フレーム体５の端部５０、５１同士が接合されて成ることを特徴とする。
【００１１】
請求項３記載の考案のテレビの連続一体型フレームは、テレビの外枠を形成する上下配置の横フレーム部１、２と左右配置の縦フレーム部３、４が、一本の板材フレーム体５で連続されて成る矩形の外枠フレームＳであって、
前記一本の板材フレーム体５における３箇所のコーナー部Ａ、Ｂ、Ｄに相当する各部位に、外側部６は残余部として少し残され内側方きに開口して切欠された切欠部７が３箇所形成されており、当該板材フレーム体５が前記３箇所の各切欠部７の位置で内側に折り曲げられ隣接するフレーム部１、４等同士の内角が９０度とされて、当該板材フレーム体５の端部５０、５１同士が残る１箇所のコーナー部Ｃで接合されて成ることを特徴とする。
【００１２】
請求項４記載の考案のテレビの連続一体型フレームは、前記板材フレーム体５の内側向きに切欠された切欠部７が、残余部６を残して四角状７１又は三角状７０又は湾曲状７２に形成されていることを特徴とする。
【００１３】
請求項５記載の考案のテレビの連続一体型フレームは、前記板材フレーム体５の三角状切欠部７１が隣接して複数形成され、当該板材フレーム体５が前記複数の三角状切欠部７１・・・の位置で内側に折り曲げられることにより、外枠フレームＳのコーナー部Ａ、Ｂ、Ｃ、Ｄの外形Ｇが多角形に形成されている。
【００１４】
請求項６記載の考案のテレビの連続一体型フレームは、前記板材フレーム体５が、アングル状に形成されていることを特徴とする。
【００１５】
請求項７記載の考案のテレビの連続一体型フレームは、前記板材フレーム体５が、平板状に形成されていることを特徴とする。
【００１６】
請求項８記載の考案のテレビの連続一体型フレームは、前記板材フレーム体５が、金属製で形成されている。
【００１７】
請求項９記載の考案のテレビの連続一体型フレームは、前記板材フレーム体５の背面に、シール材が設けられていることを特徴とする。
【００１８】
請求項１０記載の考案のテレビの連続一体型フレームは、前記別設された下配置の横フレーム部２が、板材フレーム体５における左右の縦フレーム部３、４の下端部３０、４０に亘って設置されて成ることを特徴とする。
【考案の効果】
【００１９】
本考案は、請求項１のとおり、一本の板材フレーム体における上部のコーナー部又は上下のコーナー部に相当する部位に、外側部は残余部として少し残され内側方きに開口して切欠された切欠部が複数形成されており、板材フレーム体が切欠部の位置で内側に折り曲げられ隣接するフレーム部同士の内角が９０度とされて、横フレーム部と縦フレーム部のコーナー部が連続して形成されて成るので、外枠フレーム製作時の材料ロスが減少される上、一本の板材フレーム体の折り曲げ加工だけで外枠フレームが形成されるので、組立作業の効率化や加工コストの低減化に大きく貢献する。
【００２０】
また、当該板材フレーム体の端部を例えば下部の横フレーム部に相当する部位に形成し、その端部同士を接合すれば、下部の横フレーム部を備えた外枠フレームを容易に形成できる施工性に優れている（請求項２）。
【００２１】
或いは、請求項３のように、コーナー部に相当する部分の切欠部は３箇所形成され、この３箇所の各切欠部の位置で内側に折り曲げられ、当該板材フレーム体の端部同士が残る１箇所のコーナー部で接合して形成することによっても、外枠フレームを簡便に形成できる。
【００２２】
前記の切欠部は、残余部を残して四角状又は三角状又は湾曲状に形成されるので（請求項４）、板材フレーム体が折り曲げられた結果の各コーナー部におけるラインが、垂直線や水平線、又は斜線、又は湾曲線となってそれが一種の特徴的なデザインとなり、消費者の購買意欲に訴えることができる。
【００２３】
特に、前記板材フレーム体の三角状切欠部を、隣接して複数形成して折り曲げられた場合、外枠フレームのコーナー部の外形が多角形に形成され（請求項５）、カクカクとしたデザインが奇抜で、消費者の更なる需要喚起に寄与する。
【００２４】
また、板材フレーム体はアングル状に形成される（請求項６）ほか、平板状に形成して（請求項７）実施することも可能な融通性がある。平板状で形成した場合、請求項９のように背面にシール材を設けて実施すれば、新規又は既存のテレビ枠の上に当該板材フレーム体を設置できる利便性にも優れている。
【００２５】
さらに、請求項８のように板材フレーム体は金属製で通常形成され、剛性を維持しつつ加工しやすい。
【００２６】
なお、下配置の横フレーム部を別設する態様（請求項１０）によれば、板材フレーム体における左右の縦フレーム部の下端部に亘って、これを後付けするだけで外枠フレームを奇麗に仕上げることができる。
【図面の簡単な説明】
【００２７】
【図１】Ａ、Ｂは、四角状切欠部を有する板材フレーム体の右上コーナー部における折り曲げ前（Ａ）と折り曲げ後（Ｂ）の製作要領を示した部分正面図である。
【００２８】
【図２】Ａ、Ｂ、Ｃ、Ｄは、それぞれ板材フレーム体の切欠部の形成要領を示した正面図と側面図である。
【００２９】
【図３】折り曲げられた板材フレーム体（上横フレーム部と左右の縦フレーム部）を示した説明図である。
【００３０】
【図４】Ａ、Ｂは、上下の横フレーム部と左右の縦フレーム部を形成する折り曲げ前の板材フレーム体（Ａ）と折り曲げ前の板材フレーム体（Ｂ）を示した説明図である。
【００３１】
【図５】Ａ、Ｂは、異なる上下の横フレーム部と左右の縦フレーム部を形成する折り曲げ前の板材フレーム体（Ａ）と折り曲げ前の板材フレーム体（Ｂ）を示した説明図である。
【００３２】
【図６】Ａ、Ｂは、内角が９０度の三角状切欠部を有する板材フレーム体の右上コーナー部における折り曲げ前（Ａ）と折り曲げ後（Ｂ）の製作要領を示した部分正面図である。
【００３３】
【図７】Ａ、Ｂは、内角が４５度の三角状切欠部を２つ連接する板材フレーム体の右上コーナー部における折り曲げ前（Ａ）と折り曲げ後（Ｂ）の製作要領を示した部分正面図である。
【００３４】
【図８】Ａ、Ｂは、内角が３０度の三角状切欠部を３つ連接する板材フレーム体の右上コーナー部における折り曲げ前（Ａ）と折り曲げ後（Ｂ）の製作要領を示した部分正面図である。
【００３５】
【図９】Ａ、Ｂは、湾曲状切欠部を有する板材フレーム体の右上コーナー部における折り曲げ前（Ａ）と折り曲げ後（Ｂ）の製作要領を示した部分正面図である。
【考案を実施するための最良の形態】
【００３６】
テレビの連続一体型フレームの実施形態を、以下図面にしたがって説明する。この連続一体型フレームは、テレビ（図示は省略）の外枠を形成する外枠フレームＳが、切欠部７を有する一本の板材フレーム体５により連続されて成るものである。切欠部７の形状の相違により、四角状切欠部７１、三角状切欠部７０、湾曲状切欠部７２の３つのバリエーションに分けられる。図１〜図５は四角状切欠部、図６〜図８は三角状切欠部、図９は湾曲状切欠部の実施形態を示している。
【実施例１】
【００３７】
四角状切欠部７１を有する外枠フレームＳの実施形態のうち、下位置の横フレーム部２がないパターン（図１〜図３）について説明する。即ちこの外枠フレームＳは、図３に示したようにテレビの外枠を形成する上配置の横フレーム部１と左配置の縦フレーム部３、右配置の縦フレーム部４が、一本の板材フレーム体５により連続され矩形状（コ字状）に形成されている。
【００３８】
図１は、この板材フレーム体５の四角状切欠部７１付近における完成前と完成後の拡大図を示しており、図２は、四角状切欠部７１の形成要領を示している。
【００３９】
図２Ａのように、外枠フレームＳとして、上部に配置される横フレーム部１と、左に配置される縦フレーム部３と、右に配置される縦フレーム部４を確保できる長さ相当の一本の金属製板材フレーム体５が、例えばアルミニウムの押出し成型でアングル状に形成されている。この一本の板材フレーム体５の全長は限定されるものではなく、中に嵌め込まれるテレビの各種サイズに適応可能である。
【００４０】
次に、符号Ａ、Ｂで示した上部の左右のコーナー部に相当する部位で、外側部（図面では上部）は残余部６として少し残され、内側方きに四角状に開口して切欠された切欠部７が形成されるように、被切欠部５２が四角状にプレス切除される（図２Ｂ、Ｃ）。例えば、図１において板材フレーム体５の高さ（厚さ）は１８．３５ｍｍ、残余部６の厚さＫは１ｍｍ、切欠部７の高さは１７．３５ｍｍに形成されている。なお、図中の符号Ｔは取付け孔を示しており、テレビの液晶画面の取付けに供される。
【００４１】
しかる後、図２Ｄのように、この板材フレーム体５の表面をバフ研磨等により研磨して平滑にし、光沢が出された下地処理を施した後、表面処理として、陽極酸化皮膜処理（アルマイト処理）や塗装等により施す形態が好適である。アルマイト処理を施せば、黒系の色など所望の色を出すことができて便利である。
【００４２】
この板材フレーム体５が、図３の矢印方向のように、前記切欠部７の上部位置（Ａ、Ｂ）、具体的には残余部６の外側部位である切欠部７の外側端部（Ａ、Ｂ）で内側に折り曲げられ、隣接するフレーム部１、４又は隣接するフレーム部１、３同士の内角が各々９０度に形成されている。かくして、上部の横フレーム部１と左右の縦フレーム部３、４のコーナー部Ａ、Ｂが連続する一体型に形成されている。
【００４３】
そして、前記上部の横フレーム部１に相当する長さの下配置の横フレーム部２（図示は省略）を別設しておき、この下配置の横フレーム部２を、板材フレーム体５における左右の縦フレーム部３、４の下端部３０、４０に亘って設置してもよい。
【００４４】
次に、下配置の横フレーム部２まで備えた板材フレーム体５（図４、図５）について説明する。
【００４５】
図４に例示したパターンは、一本の板材フレーム体５におけるコーナー部Ａ、Ｂ、Ｃ、Ｄに相当する部位に、外側部は残余部６として少し残され内側方きに開口して切欠された四角状切欠部７１の切欠部７が４つ形成されている（図４Ａ）。図示例の符号Ａ、Ｂは、前記のとおり当該板材フレーム体５における上部の横フレーム部１の左右に相当する部位のコーナー部であり、符号Ｃは下部の横フレーム部２の右側に相当する部位のコーナー部、符号Ｄはその下部の横フレーム部２の左側に相当する部位のコーナー部の位置を示している。
【００４６】
この下部の横フレーム部２は、左右の縦フレーム部３、４に連接する形で、上部の横フレーム部１を２分割した短い長さの左右の分割横フレーム部２０、２１として形成されている。
【００４７】
したがって、図４Ｂに示したように、当該板材フレーム体５が前記四角状切欠部７１の上部位置（Ａ、Ｂ、Ｃ、Ｄ）、具体的には、上横フレーム部１の左右の残余部６の外側部位である四角状切欠部７１の外側端部（Ａ、Ｂ）、及び左右の縦フレーム３、４の外側の残余部６の内側部位である切欠部７の内側端部（Ｃ、Ｄ）で、矢印で示した方向に内側に９０度折り曲げられる。
【００４８】
そのようにして内側に折り曲げられ、下横フレーム２をなす左右の分割横フレーム２０、２１の端部５０、５１同士が接合されている。
【００４９】
図５に例示したパターンは、四角状切欠部７１は３つの形成に留め、端部同士が溶接で接合されるものである。すなわち、前記一本の板材フレーム体５における３箇所のコーナー部Ａ、Ｂ、Ｄに相当する各部位に、残余部６を備えた切欠部７（四角状切欠部７１）が３箇所形成されている。かくして、同図５図示例では、外枠フレームＳの右下に位置するコーナー部Ｃの四角状切欠部７１が形成されていない。
【００５０】
したがって、当該板材フレーム体５が前記３つの四角状切欠部７１、７１、７１の位置で内側に折り曲げられ隣接する横縦フレーム部１、４及び横縦フレーム部１、３及び縦横フレーム部３、２同士の内角が９０度とされ、下横フレーム部２の端部５０と、右縦フレーム部４の端部５１とが、残る１箇所のコーナー部Ｃで接合されて成るものである。
【実施例２】
【００５１】
図６〜図８に示した三角状切欠部の実施形態について説明する。
【００５２】
図６は、板材フレーム体５の三角状切欠部７０（切欠部７）の内角θ１が９０度である実施形態を示している。コーナー部Ｂを例にすると、残余部６を若干残してその直下が内角θ１＝９０度で切欠されている（図６Ａ）。したがって、この実施形態によれば、当該板材フレーム体５が隣接する上横フレーム部１と右縦フレーム部４間の内角θ１が９０度となるように、当該三角状切欠部７０の位置で内側に折り曲げられ、コーナー部Ｂが隙間なく綺麗に形成されている（図６Ｂ）。
【００５３】
図７は、前記三角状切欠部７０の内角θ２が４５度であって尚かつこの内角θ２＝４５度の三角状切欠部７０が２つ連接された形態を示している（図７Ａ）。連接された三角状切欠部７０、７０の間は、三角状残余部６０が残置された形となる。したがって、上横フレーム部１と右縦フレーム部４間の内角が９０度となるように、当該２つの三角状切欠部７０、７０の位置で内側に折り曲げられると、コーナー部Ｂが角ばった綺麗な外形Ｇに形成される（図７Ｂ）。
【００５４】
図８は、前記三角状切欠部７０の内角θ３が３０度であって更にこの内角θ３＝３０度の三角状切欠部７０が３つ連接された形態を示している（図８Ａ）。したがって、上横フレーム部１と右縦フレーム部４間の内角が９０度となるように、当該３つの三角状切欠部７０、７０、７０の位置で内側に折り曲げられると、コーナー部Ｂが緩やかな多角形のデザインの外形Ｇに形成される（図８Ｂ）。
【実施例３】
【００５５】
図９に示した湾曲状切欠部の実施形態について説明する。
【００５６】
コーナー部Ｂを例にすると、この湾曲状切欠部７２は、残余部６を若干残して切欠されるが、上横フレーム部１側の切欠縁６１は、正円の右下１／４部分の円弧を描くようなラインとされるのに対し、右縦フレーム部４側の切欠縁６２は、正円の右上１／４部分の円弧を描くようなラインとされている（図９Ａ）。
【００５７】
したがって、当該板材フレーム体５の前記上横フレーム部１と右縦フレーム部４間の内角が９０度となるように、当該湾曲状切欠部７２の位置で内側に折り曲げられると、前記切欠縁６１、６２同士がぴったりと嵌合し、コーナー部Ｂの内方で湾曲状のラインが形成された独特な外形Ｇのコーナー部Ｂが簡単に形成される（図９Ｂ）。
【００５８】
なお、上述したように、板材フレーム体５はアングル状に形成して好適に実施されるが、平板状に形成して実施することも可能である（図示は省略）。また、その平板状又はアングル状の板材フレーム体５の背面にシール材を設けて、新規又は既存のテレビ枠の上に貼着することもできる。
【符号の説明】
【００５９】
１      横フレーム部（上配置）
２      横フレーム部（下配置）
３      縦フレーム部（左配置）
４      縦フレーム部（右配置）
３０    下端部
４０    下端部
５      板材フレーム体
５０    端部
５１    端部
５２    被切欠部
６      残余部
７      切欠部
７０    三角状切欠部
７１    四角状切欠部
７２    湾曲状切欠部
Ｓ      外枠フレーム
Ａ      コーナー部（左上配置）
Ｂ      コーナー部（右上配置）
Ｃ      コーナー部（右下配置）
Ｄ      コーナー部（左下配置）
Ｇ      外形
【図１】
0003161675.tif 000003
【図２】
0003161675.tif 000004
【図３】
0003161675.tif 000005
【図４】
0003161675.tif 000006
【図５】
0003161675.tif 000007
【図６】
0003161675.tif 000008
【図７】
0003161675.tif 000009
【図８】
0003161675.tif 000010
【図９】
0003161675.tif 000011